(57)【要約】【課題】製造の際に器具本体の取り扱いがしやすい照明器具を提案する。【解決手段】照明器具は、一つの面２０が開口した箱状の器具本体２と、器具本体２に収容される光源部３と、を備える。器具本体２は、一つの面２０に対向し、中央に開口２１０が設けられた底壁部２１と、底壁部２１の外周縁につながった周壁部２２と、を有する。底壁部２１と周壁部２２は、開口２１０を囲むように枠状に組み合わされた複数のパーツ４で形成されている。【選択図】図２
2020181683.tif 000002
【特許請求の範囲】
【請求項１】
一つの面が開口した箱状の器具本体と、
前記器具本体に収容される光源部と、を備え、
前記器具本体は、
前記一つの面に対向し、中央に開口が設けられた底壁部と、
前記底壁部の外周縁につながった周壁部と、を有し、
前記底壁部と前記周壁部は、
前記開口を囲むように枠状に組み合わされた複数のパーツで形成されている、
照明器具。
【請求項２】
前記複数のパーツは、
前記一つの面に対して平行な第一方向に離れて位置する第一部材及び第二部材と、
前記一つの面に対して平行であり、かつ前記第一方向に直交する第二方向に離れて位置する第三部材及び第四部材と、を含み、
前記第一部材、前記第二部材、前記第三部材、及び前記第四部材は、矩形の枠状に組み合わさっている、
請求項１に記載の照明器具。
【請求項３】
前記第一部材、前記第二部材、前記第三部材、及び前記第四部材のそれぞれは、前記底壁部を構成する底板部を有し、
前記底板部は、前記器具本体の底面を構成する長方形板状の本体部と、前記本体部の前記開口側の縁から前記本体部の厚み方向に突出した突条部と、を含み、
前記第一部材及び前記第二部材の前記突条部の突出方向と、前記第三部材及び前記第四部材の前記突条部の突出方向とは、互いに逆向きである、
請求項２に記載の照明器具。
【請求項４】
前記第一部材及び前記第二部材の前記底板部の前記本体部の長手方向の両端部の前記一つの面側の面に、前記第三部材及び前記第四部材の前記底板部の前記本体部の長手方向の両端部が、接し、
前記第一部材及び前記第二部材の前記突条部は、前記一つの面とは反対側に突出し、
前記第三部材及び前記第四部材の前記突条部は、前記一つの面側に突出している、
請求項３に記載の照明器具。
【請求項５】
前記光源部は、前記第三部材と前記第四部材のうち一方の前記本体部に、長手方向の全長にわたるように設置されている、
請求項４に記載の照明器具。
【請求項６】
前記第一部材、前記第二部材、前記第三部材、及び前記第四部材のそれぞれは、前記周壁部を構成する側板部を更に有し、
前記側板部は、前記本体部の前記開口とは反対側の縁から前記本体部の厚み方向に突出している、
請求項３から５のいずれか一項に記載の照明器具。
【請求項７】
前記第一部材及び前記第二部材は、互いに同じ形状であり、
前記第三部材及び前記第四部材は、互いに同じ形状である、
請求項２から６のいずれか一項に記載の照明器具。
【請求項８】
前記器具本体に前記底壁部を覆うように収容され、前記光源部から放射される光を前記一つの面に向かって反射する反射面を有する反射部材を、更に備える、
請求項１から７のいずれか一項に記載の照明器具。
【発明の詳細な説明】
【技術分野】
【０００１】
本開示は、照明器具に関する。
【背景技術】
【０００２】
特許文献１には、矩形の箱形の器具本体と、器具本体に収容される光源ユニットとを備える照明器具が記載されている。
【０００３】
器具本体は、矩形の底板と四つの側板とで、矩形の箱形に形成されている。底板と四つの側板とは、例えば一枚の金属板を曲げ加工することで形成される。
【先行技術文献】
【特許文献】
【０００４】
【特許文献１】特開２０１８−２２６７３号公報
【発明の概要】
【発明が解決しようとする課題】
【０００５】
ところで、特許文献１に記載の照明器具では、箱形の器具本体が大きいと、照明器具の製造の際に、器具本体を光源ユニット等の他の装置を取り付ける場所まで搬送しにくく、また、この搬送の前の保管に大きなスペースが必要となるといった問題がある。
【０００６】
上記事情に鑑みて、本開示は、製造の際に器具本体の取り扱いがしやすい照明器具を提案することを、目的とする。
【課題を解決するための手段】
【０００７】
本開示の一態様に係る照明器具は、一つの面が開口した箱状の器具本体と、前記器具本体に収容される光源部と、を備える。前記器具本体は、前記一つの面に対向し、中央に開口が設けられた底壁部と、前記底壁部の外周縁につながった周壁部と、を有する。前記底壁部と前記周壁部は、前記開口を囲むように枠状に組み合わされた複数のパーツで形成されている。
【発明の効果】
【０００８】
本開示の一態様に係る照明器具は、製造の際に器具本体の取り扱いがしやすい。
【図面の簡単な説明】
【０００９】
【図１】図１は、本開示の一実施形態に係る照明器具を示す斜視図である。
【図２】図２は、同上の照明器具の器具本体を示す斜視図である。
【図３】図３は、同上の器具本体を示す分解斜視図である。
【図４】図４は、同上の照明器具の設置例を示す斜視図である。
【図５】図５は、同上の器具本体の要部を示す斜視図である。
【図６】図６は、同上の照明器具の、器具本体の後側の側板部の図示を省略した状態を示す後面図である。
【図７】図７は、同上の照明器具の反射部材を示す斜視図である。
【発明を実施するための形態】
【００１０】
１．概要
図１及び図２に示すように、一実施形態に係る照明器具１は、一つの面２０が開口した箱状の器具本体２と、器具本体２に収容される光源部３と、を備える。器具本体２は、一つの面２０に対向し、中央に開口２１０が設けられた底壁部２１と、底壁部２１の外周縁につながった周壁部２２と、を有する。底壁部２１と周壁部２２は、開口２１０を囲むように枠状に組み合わされた複数のパーツ４（図３参照）で形成されている。
【００１１】
上記構成を備えることで、本実施形態の照明器具１では、器具本体２を形成する複数のパーツ４のそれぞれは、器具本体２に比べて小さいため、搬送がしやすく、また、保管に必要なスペースを抑えることができて、取り扱いがしやすい。したがって、一実施形態の照明器具１では、製造の際に器具本体２（つまり複数のパーツ４）の取り扱いがしやすい。
【００１２】
２．詳細
続いて、本実施形態の照明器具１について、詳細に説明する。照明器具１は、図４に示すように、システム天井１００に取り付けて用いられる。システム天井１００は、格子状に組んだ枠組み１０１をコンクリートスラブ等の建物躯体に吊り下げ、この枠組み１０１に、天井パネル１０２や、照明器具１や空調装置等の天井用の設備機器を取り付けて形成される天井である。システム天井１００は、例えば、日本工業規格  Ａ１４４５「システム天井構成部材の試験方法」に記載のシステム天井である。以下においては、照明器具１をシステム天井１００に取り付けた状態を基準として、図１において矢印で示す上下、左右、前後の各方向を用いて、照明器具１の各構成について説明する。図１及び図２に示すように、照明器具１は、器具本体２及び光源部３に加えて、反射部材５を備える。
【００１３】
２−１．器具本体
器具本体２は、一つの面２０（下面）が開口した箱状に形成されている。器具本体２は、枠状に組み合わされた複数のパーツ４で形成されている。
【００１４】
複数のパーツ４は、前後方向に離れて位置する第一部材４０及び第二部材４１と、左右方向に離れて位置する第三部材４２及び第四部材４３とを含む。なお、前後方向は、一つの面２０（下面）に対して平行な第一方向と言い換え可能であり、左右方向は、一つの面２０（下面）に対して平行であり、かつ第一方向に対して直交する第二方向と言い換え可能である。第一部材４０、第二部材４１、第三部材４２、及び第四部材４３は、矩形に枠状に組み合わさっている。
【００１５】
図２及び図３に示すように、第一部材４０、第二部材４１、第三部材４２、及び第四部材４３のそれぞれは、底壁部２１を構成する底板部４００，４１０，４２０，４３０と、周壁部２２を構成する側板部４０１，４１１，４２１，４３１とを有する。
【００１６】
図３に示すように、底板部４００，４１０，４２０，４３０のそれぞれは、器具本体２の底面（底壁部２１の上面）を構成する長方形板状の本体部４０２，４１２，４２２，４３２と、突条部４０３，４１３，４２３，４３３と、を含む。突条部４０３，４１３，４２３，４３３は、本体部４０２，４１２，４２２，４３２の開口２１０（図２参照）側の縁から、本体部４０２，４１２，４２２，４３２の厚み方向に突出している。第一部材４０及び第二部材４１の突条部４０３，４１３の突出方向と、第三部材４２及び第四部材４３の突条部４２３，４３３の突出方向とは、互いに逆向きである（図５参照）。
【００１７】
図２に示すように、第一部材４０及び第二部材４１の底板部４００，４１０の本体部４０２，４１２の長手方向の両端部の一つの面２０側の面に、第三部材４２及び第四部材４３の底板部４２０，４３０の本体部４２２，４３２の長手方向の両端部が接している。第一部材４０及び第二部材４１の突条部４０３，４１３は、上向き（一つの面２０とは反対側）に突出し、第三部材４２及び第四部材４３の突条部４２３，４３３は、下向き（一つの面２０側）に突出している。
【００１８】
側板部４０１，４１１，４２１，４３１は、底板部４００，４１０，４２０，４３０の本体部４０２，４１２，４２２，４３２の開口２１０とは反対側の縁から本体部４０２，４１２，４２２，４３２の厚み方向（本実施形態では下方）に突出している。
【００１９】
図３に示すように、第一部材４０及び第二部材４１は、互いに同じ形状であり、第三部材４２及び第四部材４３は、互いに同じ形状である。第一部材４０における孔の配置と、第二部材４１における孔の配置は同じであり、第三部材４２における孔の配置と、第四部材４３における孔の配置は同じである。
【００２０】
第一部材４０、第二部材４１、第三部材４２、及び第四部材４３のそれぞれは、一枚の金属板を例えばプレス加工することによって形成される。
【００２１】
第一部材４０及び第二部材４１の側板部４０１，４１１は、底板部４００，４１０の本体部４０２，４１２の開口２１０とは反対側の縁から下方に突出した長方形板状の本体部４０４，４１４を含む。側板部４０１，４１１は、本体部４０４，４１４の下縁から上方に折り返された折り返し部４０５，４１５と、折り返し部４０５，４１５の上端から前後方向外側に突出した突出部４０６，４１６と、を更に含む。折り返し部４０５，４１５は、本体部４０４，４１４の下端部において前後方向外側（開口２１０とは反対側）に重なっている。
【００２２】
側板部４０１，４１１は、本体部４０４，４１４の長手方向の両端（左右端）の上下方向の中央部から、前後方向内側（開口２１０側）に突出する位置決め片４０７，４１７を更に含む。側板部４０１，４１１は、本体部４０４，４１４の長手方向の両端（左右端）の上端部から、左右方向外側に突出する塞ぎ部４０８，４１８を更に含む。
【００２３】
第三部材４２及び第四部材４３の側板部４２１，４３１は、底板部４２０，４３０の本体部４２２，４３２の左右方向外側（開口２１０とは反対側）の縁から下方に突出した突部４２４，４３４を含む。側板部４２１，４３１は、突部４２４，４３４の下端から左右方向内側（開口２１０側）に突出した段差４２５，４３５と、段差４２５，４３５の左右方向内側の縁から下方に突出した長方形板状の本体部４２６，４３６を含む。側板部４２１，４３１は、本体部４２６，４３６の下縁から上方に折り返された折り返し部４２７，４３７と、折り返し部４２７，４３７の上端から左右方向外側に突出した突出部４２８，４３８と、を含む。
【００２４】
側板部４２１，４３１には、段差４２５，４３５と突出部４２８，４３８とこの間の本体部４２６，４３６とで形成される凹溝４２９，４３９が形成されている。凹溝４２９，４３９の前後の端部には、第一部材４０及び第二部材４１の左右の位置決め片４０７，４１７が収まる。
【００２５】
以上説明した第一部材４０、第二部材４１、第三部材４２、及び第四部材４３は、以下のようにして組み合わされる。
【００２６】
図２に示すように、第一部材４０の底板部４００の本体部４０２の左右の端部の下面に、第三部材４２及び第四部材４３の底板部４３０の本体部４３２の前端部の上面を重ねる。このとき、第一部材４０の側板部４０１の左右の位置決め片４０７に、第三部材４２及び第四部材４３の側板部４２１，４３１の本体部４２６，４３６を当てる（図３参照）。またこのとき、第三部材４２及び第四部材４３の側板部４２１，４３１の前端を第一部材４０の側板部４０１に当てる。これにより、第一部材４０に対して第三部材４２及び第四部材４３は、位置決めされる。第一部材４０に対する第三部材４２及び第四部材４３の固定は、第三部材４２及び第四部材４３に対して各種の部材を固定するためのねじ等の固定具（固定具１２等）によって行われる。
【００２７】
また、第二部材４１の底板部４１０の本体部４１２の左右の端部の下面に、第三部材４２及び第四部材４３の底板部４３０の本体部４３２の後端部の上面を重ねる。このとき、第二部材４１の側板部４１１の左右の位置決め片４１７に、第三部材４２及び第四部材４３の側板部４３１の本体部４３６を当てる（図３参照）。またこのとき、第三部材４２及び第四部材４３の側板部４３１の後端を第二部材４１の側板部４１１に当てる。これにより、第二部材４１に対して第三部材４２及び第四部材４３は、位置決めされる。第二部材４１に対する第三部材４２及び第四部材４３の固定は、第三部材４２及び第四部材４３に対して各種の部材を固定するためのねじ等の固定具（固定具１２等）によって行われる。
【００２８】
以上のように組み合わせることで、第一部材４０、第二部材４１、第三部材４２、及び第四部材４３は、開口２１０を囲むように正方形の枠状に組み合わされて、一つの面２０（下面）が開口した箱状の器具本体２が形成される。
【００２９】
箱状に組み合わされた器具本体２では、部材４０，４１，４２，４３の突出部４０６，４１６，４２８，４３８（図３参照）は、上下方向の位置が互いに同じとなる。第三部材４２及び第四部材４３の本体部４２２，４３２と突部４２４，４３４と段差４２５，４３５で囲まれた溝の前後端の開口は、第一部材４０及び第二部材４１の左右の塞ぎ部４０８，４１８によって塞がれる（図３参照）。
【００３０】
２−２．光源部
光源部３は、図６に示すように、光源３０と導光板３１を有する。光源３０は、前後方向に長尺の基板に複数個のＬＥＤ（Ｌｉｇｈｔ  Ｅｍｉｔｔｉｎｇ  Ｄｉｏｄｅ）が実装されて構成されるＬＥＤモジュール３２と、ＬＥＤモジュール３２を収容するケース３３を有する。導光板３１は、アクリル樹脂又はポリカーボネート樹脂などの透光性を有する合成樹脂材料によって長方形の平板状に形成されている。導光板３１は、その上端部をケース３３に収容した状態でケース３３に保持されている。ケース３３内において、ＬＥＤモジュール３２の複数個のＬＥＤが導光板３１の上端面と対向している。ＬＥＤモジュール３２から放射される光は、導光板３１の上端面より導光板３１内に入射し、導光板３１内を進行しながら導光板３１の表面（左面）から左方に向かって出射する。つまり、光源部３は面光源を構成している。
【００３１】
光源部３は、第四部材４３の側板部４３１に沿うように器具本体２に収容される。具体的には、光源部３のケース３３が第四部材４３の底板部４３０の下面における右端部に取り付けられる。導光板３１と側板部４３１は、わずかな隙間を空けて平行に並んでいる。
【００３２】
２−３．反射部材
反射部材５は、図７に示すように、反射板５０と、四つの側板（第１側板５１、第２側板５２、第３側板５３及び第４側板５４）と、天板５５とを有する。図７は、反射部材５を上側から見た図である。反射板５０は、正方形の平板状に形成されている。反射板５０の下面が反射面５００（図１参照）を構成する。
【００３３】
第１側板５１は、反射板５０の右側の縁から上向きに突出している。図６に示すように、第１側板５１は、反射板５０の右側の縁から上向きに突出している第１縦片５１１と、第１縦片５１１の上端から横方向（右方向）に突出する横片５１２と、横片５１２の右端から上向きに突出する第２縦片５１３とを有する。つまり、第１側板５１は、反射板５０から上方に向かって右方へ突出する階段状に形成されている。
【００３４】
図７に示す第２側板５２は、前後方向を長手方向とする長方形の平板状に形成され、反射板５０の左側の縁から上向きに突出している。第３側板５３及び第４側板５４はそれぞれ、左右方向を長手方向とする台形状に形成され、反射板５０の前後両側の縁から上向きに突出している。
【００３５】
天板５５は、前後方向を長手方向とする長方形の平板状に形成されている。天板５５の左縁が第２側板５２の上端とつながっている。天板５５の前後の縁は、第３側板５３及び第４側板５４の左側の部分の上端につながっている。天板５５には、二つの引っ掛け孔５５０が設けられている。
【００３６】
反射部材５には、器具本体２への取り付けに用いる第一取付部材６と一対の第二取付部材７とが設けられる。第一取付部材６は、ねじりコイルばねを含み、天板５５に固定される。一対の第二取付部材７は、反射板５０の上面の右端部の前後の端部に固定される。
【００３７】
２−４．その他
器具本体２には、図２に示すように、器具本体２への反射部材５に取り付けに用いられる、引っ掛け孔８、一対の被取付部材９、一対の引っ掛け部材１０、及び四つのスペーサー１１が設けられている。
【００３８】
引っ掛け孔８は、反射部材５の第一取付部材６（図７参照）が挿入されて引っ掛かるように、器具本体２の第三部材４２の右端部に開口している。なお、第四部材４３の左端部にも、同様の引っ掛け孔８が形成されているが、この引っ掛け孔８には、第一取付部材６が挿入されない。
【００３９】
一対の被取付部材９は、反射部材５の一対の第二取付部材７（図７参照）が引っ掛かるように、器具本体２の第四部材４３の底板部４３０の前後の端部の下面に、ねじ等の固定具１２で固定されている。器具本体２の第四部材４３の底板部４３０の前後の端部は、底板部４２０のうち、第一部材４０及び第二部材４１の底板部４００，４１０に重なる部分である。一対の引っ掛け部材１０は、反射部材５の二つの引っ掛け孔５５０（図７参照）に引っ掛かるように、器具本体２の第三部材４２の右端部の下面に固定されている。
【００４０】
四つのスペーサー１１は、器具本体２の第三部材４２の底板部４２０の前後の端部の下面と、第四部材４３の底板部４３０の前後の端部の下面に、ねじ等の固定具１２で固定されている。第三部材４２及び第四部材４３の底板部４２０，４３０の前後の端部は、底板部４２０，４３０のうち、第一部材４０及び第二部材４１の底板部４００，４１０に重なる部分である。
【００４１】
照明器具１は、器具本体２の第一部材４０の底板部４００の下面に取り付けられる電源装置１３、信号変換装置１４、電源端子台１５及び信号端子台１６を更に備える。
【００４２】
電源装置１３は、電力系統から供給される交流電力を直流電力に変換して、直流電流を光源部３のＬＥＤモジュール３２に供給してＬＥＤモジュール３２を点灯させる。電源装置１３は、電源端子台１５及び信号変換装置１４に対して電線を介して電気的に接続される。
【００４３】
信号変換装置１４は、信号端子台１６を介して外部の信号線に電気的に接続され、信号線によって伝送されるパルス幅変調（ＰＷＭ：Ｐｕｌｓｅ  Ｗｉｄｔｈ  Ｍｏｄｕｌａｔｉｏｎ）方式の調光信号を直流の電圧信号に信号変換する。電源装置１３は、信号変換装置１４で信号変換された電圧信号の電圧レベル、すなわち、調光信号で指示された調光レベルに応じて、出力（出力電流）を増減するように構成されている。
【００４４】
第一部材４０の底板部４００には、電線挿通用の二つの貫通孔１７が設けられている。二つの貫通孔１７には、電力系統から交流電力が供給される電源線と、信号線が通される。なお、第二部材４１の底板部４１０にも、同様の二つの貫通孔１７が設けられているが、電線の挿通には利用されない。
【００４５】
照明器具１は、器具本体２の第一部材４０の側板部４０１と、第二部材４１の側板部４１１の前後方向外側の面にそれぞれ固定され、システム天井１００の枠組み１０１への取り付けに用いられる取付部材１８を更に備える。
【００４６】
３．照明器具の施工方法
続いて、照明器具１の施工方法について説明する。
【００４７】
まず、施工作業を行う作業者は、反射部材５を取り外した器具本体２をシステム天井１００（図４参照）に取り付ける。すなわち、作業者は、器具本体２の外面に取り付けられている一対の取付部材１８を、システム天井１００の枠組み１０１に引っ掛けることにより、器具本体２をシステム天井１００に取り付ける。
【００４８】
次いで、作業者は、第一部材４０の底板部４００の二つの貫通孔１７の一方の貫通孔１７から引き込んだ電源線を電源端子台１５に電気的に接続し、他方の貫通孔１７から引き込んだ信号線を信号端子台１６に電気的に接続する。このとき、作業者は、器具本体２の開口２１０に下側から腕をとおす等して、電源線及び信号線の引き込み作業が可能である。
【００４９】
次いで、作業者は、器具本体２に反射部材５を取り付ける。器具本体２への反射部材５の取り付けは、器具本体２の引っ掛け孔８、一対の被取付部材９、及び一対の引っ掛け部材１０（図２参照）と、反射部材５の第一取付部材６、一対の第二取付部材７、及び一対の引っ掛け孔５５０（図７参照）を利用して行う。反射部材５は、四つの側板５１，５２，５３，５４のそれぞれの上端を、四つのスペーサー１１にそれぞれ当てることにより、器具本体２に対して上下方向の位置が決まる。反射部材５は、図１に示すように、導光板３１の左方に反射板５０の反射面５００が位置し、反射面５００が器具本体２の一つの面２０（下面）に対して左下がりに傾くように、器具本体２に収容される。
【００５０】
４．作用効果
以上説明した本実施形態の照明器具１では、器具本体２が四つの部材４０，４１，４２，４３を枠状に組み合わせて形成されるものであるため、器具本体２を形成する前の段階で、四つの部材４０，４１，４２，４３のそれぞれが器具本体２に比べて小さい。そのため、本実施形態の照明器具１では、四つの部材４０，４１，４２，４３の搬送がしやすく、また、保管に必要なスペースも抑えることができて、製造の際に器具本体２の取り扱いがしやすい。また、四つの部材４０，４１，４２，４３は、器具本体２を一部材で構成する場合に比べて、部品加工がしやすく、また、プレス用の金型の大型化を抑える等できるため、製造コストを抑えることもできる。
【００５１】
また、本実施形態の照明器具１では、第一部材４０及び第二部材４１が互いに同じ形状であり、第三部材４２及び第四部材４３が互いに同じ形状であるため、製造コストをより抑えやすい。
【００５２】
また、本実施形態の照明器具１では、四つの部材４０，４１，４２，４３の底板部４００，４１０，４２０，４３０のそれぞれが、開口２１０側の縁に突条部４０３，４１３，４２３，４３３を有する。そのため、本実施形態の照明器具１では、突条部４０３，４１３，４２３，４３３によって底板部４００，４１０，４２０，４３０の強度を向上させることができる。ここで、第一部材４０及び第二部材４１の突条部４０３，４１３は、上向きに突出しているため、第三部材４２及び第四部材４３との組み合わせの邪魔にならない。また、第三部材４２及び第四部材４３の突条部４２３，４３３は、下向きに突出しているため、第一部材４０及び第二部材４１との組み合わせの邪魔にならない。
【００５３】
また、本実施形態の照明器具１では、四つの部材４０，４１，４２，４３の組み合わせは、第三部材４２及び第四部材４３に装着される他の用途の部材を固定する固定具（固定具１２等）で行えるため、部品点数を抑えることができる。
【００５４】
また、本実施形態の照明器具１では、光源部３を、第四部材４３の本体部４３２の下面に長手方向の全長にわたるように配置しているため、第三部材４２から第四部材４３にわたるように配置する場合に比べて、光源部３の設置がしやすい。
【００５５】
５．変形例
以上説明した本実施形態の照明器具１は、下記の変形例を採用可能である。
【００５６】
器具本体２は、枠状に組み合わされた複数のパーツ４で形成されるものであればよく、複数のパーツ４は、部材４０，４１，４２，４３に限定されない。例えば、複数のパーツ４の数は、２又は３又は５以上であってもよく、また、複数のパーツ４は、矩形以外の形の枠状を形成するように、組み合わさってもよい。
【００５７】
また、部材４０，４１，４２，４３の形状は、図３等に示す形状に限定されない。例えば、第一部材４０及び第二部材４１の突条部４０３，４１３の突出方向と、第三部材４２及び第四部材４３の突条部４２３，４３３の突出方向は、互いに同じ方向であってもよい。この場合、突条部４０３，４１３と突条部４２３，４３３のうち一方は、開口２１０に臨む部分にのみ設けられてもよい。
【００５８】
光源部３は、第四部材４３の本体部４３２に、長手方向の全長にわたるように配置されなくてもよく、第三部材４２の本体部４２２に、長手方向の全長にわたるように配置されてもよい。また、光源部３は、第三部材４２と第一部材４０と第四部材４３の本体部４２２，４０２，４３２にわたるように配置されてもよいし、第三部材４２と第二部材４１と第四部材４３の本体部４２２，４１２，４３２にわたるように配置されてもよい。
【００５９】
また、光源部３は、複数のＬＥＤを含む光源３０と、導光板３１との組み合わせに限らず、導光板３１を有さないものであってもよいし、また、光源３０は、ＬＥＤに限定されない。
【００６０】
照明器具１は、図１に示す反射部材５を備えるものに限定されない。例えば、照明器具１は、器具本体２に装着される透光性のカバーを備え、このカバーを通過する光源部３の光が照明器具１の外部を照明するものであってもよい。
【００６１】
また、照明器具１は、システム天井１００に設置されるものに限らず、システム天井１００以外の構造を有する天井や、建物の壁に設置されるものであってもよい。
【００６２】
６．まとめ
以上説明した一実施形態及びその変形例の照明器具１から明らかなように、第一態様の照明器具（１）は、下記の構成を備える。
【００６３】
すなわち、第一態様の照明器具（１）は、一つの面（２０）が開口した箱状の器具本体（２）と、器具本体（２）に収容される光源部（３）と、を備える。器具本体（２）は、一つの面（２０）に対向し、中央に開口（２１０）が設けられた底壁部（２１）と、底壁部（２１）の外周縁につながった周壁部（２２）と、を有する。底壁部（２１）と周壁部（２２）は、開口（２１０）を囲むように枠状に組み合わされた複数のパーツ（４）で形成されている。
【００６４】
上記構成を備えることで、第一態様の照明器具（１）では、器具本体（２）を形成する複数のパーツ（４）のそれぞれは、器具本体（２）に比べて小さいため、搬送がしやすく、また、保管に必要なスペースを抑えることができて、取り扱いがしやすい。したがって、第一態様の照明器具（１）では、製造の際に器具本体（２）（つまり複数のパーツ（４））の取り扱いがしやすい。
【００６５】
また、一実施形態及びその変形例の照明器具１から明らかなように、第二態様の照明器具（１）は、第一態様の照明器具（１）の構成に加えて、下記の構成を付加的に備える。
【００６６】
すなわち、第二態様の照明器具（１）では、複数のパーツ（４）は、第一方向に離れて位置する第一部材（４０）及び第二部材（４１）と、第一方向に直交する第二方向に離れて位置する第三部材（４２）及び第四部材（４３）と、を含む。第一方向と第二方向のそれぞれは、一つの面（２０）に対して平行である。第一部材（４０）、第二部材（４１）、第三部材（４２）、及び第四部材（４３）は、矩形の枠状に組み合わさっている。
【００６７】
上記構成を備えることで、第二態様の照明器具（１）では、四つの部材（４０，４１，４２，４３）を矩形の枠状に組み合わせることで、器具本体（２）を簡単に形成することができる。
【００６８】
また、一実施形態及びその変形例の照明器具１から明らかなように、第三態様の照明器具（１）は、第二態様の照明器具（１）の構成に加えて、下記の構成を付加的に備える。
【００６９】
すなわち、第三態様の照明器具（１）では、第一部材（４０）、第二部材（４１）、第三部材（４２）、及び第四部材（４３）のそれぞれは、底壁部（２１）を構成する底板部（４００，４１０，４２０，４３０）を有する。底板部（４００，４１０，４２０，４３０）は、器具本体（２）の底面を構成する長方形板状の本体部（４０２，４１２，４２２，４３２）を含む。底板部（４００，４１０，４２０，４３０）は、本体部（４０２，４１２，４２２，４３２）の開口（２１０）側の縁から本体部（４０２，４１２，４２２，４３２）の厚み方向に突出した突条部（４０３，４１３，４２３，４３３）を含む。第一部材（４０）及び第二部材（４１）の突条部（４０３，４１３）の突出方向と、第三部材（４２）及び第四部材（４３）の突条部（４２３，４３３）の突出方向とは、互いに逆向きである。
【００７０】
上記構成を備えることで、第三態様の照明器具（１）では、突条部（４０３，４１３，４２３，４３３）によって、四つの部材（４０，４１，４２，４３）の底板部（４００，４１０，４２０，４３０）の強度をそれぞれ向上させることができる。また、第三態様の照明器具（１）では、第一部材（４０）及び第二部材（４１）の突条部（４０３，４１３）の突出方向と、第三部材（４２）及び第四部材（４３）の突条部（４２３，４３３）の突出方向とは、互いに逆向きである。そのため、第三態様の照明器具（１）では、四つの部材（４０，４１，４２，４３）を矩形の枠状に組み合わせる際に、突条部（４０３，４１３，４２３，４３３）が邪魔になりにくい。
【００７１】
また、一実施形態及びその変形例の照明器具１から明らかなように、第四態様の照明器具（１）は、第三態様の照明器具（１）の構成に加えて、下記の構成を付加的に備える。
【００７２】
すなわち、第四態様の照明器具（１）では、第一部材（４０）及び第二部材（４１）の底板部（４００，４１０）の本体部（４０２，４１２）の長手方向の両端部の一つの面（２０）側の面に、第三部材（４２）及び第四部材（４３）の底板部（４２０，４３０）の本体部（４２２，４３２）の長手方向の両端部が、接する。第一部材（４０）及び第二部材（４１）の突条部（４０３，４１３）は、一つの面（２０）とは反対側に突出し、第三部材（４２）及び第四部材（４３）の突条部（４２３，４３３）は、一つの面（２０）側に突出している。
【００７３】
上記構成を備えることで、第四態様の照明器具（１）では、底板部（４００，４１０，４２０，４３０）は、本体部（４０２，４１２，４２２，４３２）の長手方向の端部同士が厚み方向に互いに重なるため、強度を向上させることができる。第一部材（４０）及び第二部材（４１）の突条部（４０３，４１３）は、一つの面（２０）とは反対側、つまり、第三部材（４２）及び第四部材（４３）とは反対側に突出しているため、本体部（４０２，４１２，４２２，４３２）の重ね合わせの邪魔にならない。また、第三部材（４２）及び第四部材（４３）の突条部（４２３，４３３）は、一つの面（２０）側、つまり、第一部材（４０）及び第二部材（４１）とは反対側に突出しているため、本体部（４０２，４１２，４２２，４３２）の重ね合わせの邪魔にならない。
【００７４】
また、一実施形態及びその変形例の照明器具１から明らかなように、第五態様の照明器具（１）は、第四態様の照明器具（１）の構成に加えて、下記の構成を付加的に備える。
【００７５】
すなわち、第五態様の照明器具（１）では、光源部（３）は、第三部材（４２）と第四部材（４３）のうち一方の本体部（４２２，４３２）に、長手方向の全長にわたるように設置されている。
【００７６】
上記構成を備えることで、第五態様の照明器具（１）では、第三部材（４２）及び第四部材（４３）の突条部（４２３，４３３）が光源部（３）の設置の邪魔になりにくい。そのため、第五態様の照明器具（１）では、光源部（３）を第三部材（４２）から第四部材（４３）にわたるように設ける場合に比べて、光源部（３）の設置がしやすい。
【００７７】
また、一実施形態及びその変形例の照明器具１から明らかなように、第六態様の照明器具（１）は、第三から第五態様のいずれか一つの照明器具（１）の構成に加えて、下記の構成を付加的に備える。
【００７８】
すなわち、第六態様の照明器具（１）では、第一部材（４０）、第二部材（４１）、第三部材（４２）、及び第四部材（４３）のそれぞれは、周壁部（２２）を構成する側板部（４０１，４１１，４２１，４３１）を更に有する。側板部（４０１，４１１，４２１，４３１）は、本体部（４０２，４１２，４２２，４３２）の開口（２１０）とは反対側の縁から本体部（４０２，４１２，４２２，４３２）の厚み方向に突出している。
【００７９】
上記構成を備えることで、第六態様の照明器具（１）では、側板部（４０１，４１１，４２１，４３１）によって、四つの部材（４０，４１，４２，４３）の底板部（４００，４１０，４２０，４３０）の強度をそれぞれ向上させることができる。
【００８０】
また、一実施形態及びその変形例の照明器具１から明らかなように、第七態様の照明器具（１）は、第二から第六態様のいずれか一つの照明器具（１）の構成に加えて、下記の構成を付加的に備える。
【００８１】
すなわち、第七態様の照明器具（１）では、第一部材（４０）及び第二部材（４１）は、互いに同じ形状であり、第三部材（４２）及び第四部材（４３）は、互いに同じ形状である。
【００８２】
上記構成を備えることで、第七態様の照明器具（１）では、部材（４０，４１，４２，４３）の形状の共通化によって、製造コストを抑えることができる。
【００８３】
また、一実施形態及びその変形例の照明器具１から明らかなように、第八態様の照明器具（１）は、第一から第七態様のいずれか一つの照明器具（１）の構成に加えて、下記の構成を付加的に備える。
【００８４】
すなわち、第八態様の照明器具（１）では、器具本体（２）に底壁部（２１）を覆うように収容され、光源部（３）から放射される光を一つの面（２０）に向かって反射する反射面（５００）を有する反射部材（５）を、更に備える。
【００８５】
上記構成を備えることで、第八態様の照明器具（１）では、光源部（３）から放射された光を、反射部材（５）の反射面（５００）に反射させて、器具本体（２）の一つの面（２０）に向かわせて、照明することができる。第八態様の照明器具（１）では、反射部材（５）によって器具本体（２）の底壁部（２１）を覆うことができるため、器具本体（２）が複数のパーツ（４）を組み合わせて形成していることが分かりにくい。
【００８６】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００８７】
１      照明器具
２      器具本体
２０    一つの面
２１    底壁部
２２    周壁部
３      光源部
４      複数のパーツ
４０    第一部材
４１    第二部材
４２    第三部材
４３    第四部材
４００  底板部
４０１  側板部
４０２  本体部
４０３  突条部
４１０  底板部
４１１  側板部
４１２  本体部
４１３  突条部
４２０  底板部
４２１  側板部
４２２  本体部
４２３  突条部
４３０  底板部
４３１  側板部
４３２  本体部
４３３  突条部
５      反射部材
５００  反射面
【図１】
2020181683.tif 000003
【図２】
2020181683.tif 000004
【図３】
2020181683.tif 000005
【図４】
2020181683.tif 000006
【図５】
2020181683.tif 000007
【図６】
2020181683.tif 000008
【図７】
2020181683.tif 000009